(57)【要約】【課題】通路開閉用昇降シャッターの提供。【解決手段】遮蔽部材を昇降させて通路口を開閉する通路開閉用昇降シャッターであって、遮蔽部材は少なくとも折り成しに柔軟な可撓性を持つ編みとした金網を用い、当該遮蔽部材には、水平方向に走る引上ガイド部材を遮蔽部材の最下端から上端側へかけて適当間隔を空けて適当数平行に設け、牽引索条の引上によって相接する引上ガイド部材間に適当間隔を空けるため、各引上ガイド部材間の牽引索条に短筒状のカラーを挿通したスペ一サを設けたことを特徴とする。【選択図】　図１
2004076569.tif 000002
【特許請求の範囲】
【請求項１】
遮蔽部材を昇降させて通路口を開閉する通路開閉用昇降シャッターに於いて、
遮蔽部材は少なくとも折り成しに柔軟な可撓性を持つ編みとした金網を用い、
当該遮蔽部材には、水平方向に走る引上ガイド部材を遮蔽部材の最下端から上端側へかけて問隔を空けて適当数平行に設け、
最上段から途中の引上ガイド部材を融通自在に通り、最下段の引上ガイド部材に固定された牽引索条を設け、
当該牽引索条の引上によって、下段から上段側の引上ガイド部材を順次上昇させた際、引上ガイド部材間でＵ字状に折り成される各々の遮蔽部材部分のＵ字部がほぼ水平に並んだ状態で通路口が開かれるよう、上記引上ガイド部材間の各遮蔽部材部分の幅を下から上に行くに従って次第に広がるよう形成したことを特徴とする通路開閉用昇降シャッター。
【請求項２】
遮蔽部材を昇降させて通路口を開閉する通路開閉用昇降シャッターに於いて、
遮蔽部材は少なくとも折り成しに柔軟な可撓性を持つ編みとした金網を用い、
当該遮蔽部材には、水平方向に走る引上カイト部材を遮蔽部材の最下端から上端側へかけて間隔を空けて適当数平行に設け、
最上段から途中の引上ガイド部材を融通自在に通り、最下段の引上ガイド部材に固定された牽引索条を設け、
当該牽引索条の引上によって、下段から上段側の引上ガイド部材を順次上昇させた際、引上ガイド部材間でＵ字状に折り成される各遮蔽部材部分の互いに隣り合うＵ字部が上下方向に位置ずれした状態で通路口が開かれるよう、上記引上ガイド部材間の各遮蔽部材部分の幅を下から上に行くに従って幅が交互に大小となるよう形成したことを特徴とする通路開閉用昇降シャッター。
【請求項３】
遮蔽部材を昇降させて通路口を開閉する通路開閉用昇降シャッターであって、
当該遮蔽部材は少なくとも折り成しに柔軟な可撓性を持つ編みとした金網を用い、
当該遮蔽部材には、水平方向に走る引上ガイド部材を遮蔽部材の最下端から上端側へかけて適当間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させ、引上ガイド部材間の遮蔽部材部分をそれぞれＵ字状に折り成して、遮蔽部材全体を上昇させて通路口を開く通路開閉用昇降シャッターに於いて、
上記通路口の左右には上記引上ガイド部材の端部が上下動自在に収まるガイド溝配設し、
最下段の引上ガイド部材の両端部にはガイド溝に案内されるガイドローラを設けたことを特徴とする通路開閉用昇降シャッター。
【請求項４】
遮蔽部材を昇降させて通路口を開閉する通路開閉用昇降シャッターであって、
当該遮蔽部材は少なくとも折り成しに柔軟な可撓性を持つ編みとした金網を用い、
当該遮蔽部材には、水平方向に走る引上ガイド部材を遮蔽部材の最下端から上端側へかけて適当間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させ、引上ガイド部材間の遮蔽部材部分をそれぞれＵ字状に折り成して、遮蔽部材全体を上昇させて通路口を開く通路開閉用昇降シャッターに於いて、
上記通路口の左右には上記引上ガイド部材の端部が上下動自在に収まるガイド溝を配設し、
当該ガイド溝の下部には、最下段の引上ガイド部材が降下した際に落ち込む陥凹部と、陥落した引上ガイド部材の当該陥凹部からの離脱を阻止する阻止部材とから成るロック機構を設けたことを特徴とする通路開閉用昇降シャッター。
【請求項５】
遮蔽部材を昇降させて通路口を開閉する通路開閉用昇降シャッターであって、
当該遮蔽部材は少なくとも折り成しに柔軟な可撓性を持つ編みとした金網を用い、当該遮蔽部材には、水平方向に走る引上ガイド部材を遮蔽部材の最下端から上端側へかけて適当間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させ、引上ガイド部材間の遮蔽部材部分をそれぞれＵ字状に折り成して、遮蔽部材全体を上昇させて通路口を開く通路開閉用昇降シャッターに於いて、
上記通路口の左右には上記引上ガイド部材の端部が上下動自在に収まるガイド溝を配設し、
当該ガイド溝の下部には、最下段の引上ガイド部材が降下した際に落ち込む陥凹部と、陥落した引上ガイド部材の当該陥凹部からの離脱を阻止する阻止部材とから成るロック機構を設け、
当該ロック機構は、陥凹部に最下段の引上ガイド部材が陥落したことを検知する遮蔽完了センサからの遮蔽信号により阻止部材でロックさせる自動施錠手段と、通路口を開くための開動作信号により阻止部材のロックを解除する自動解錠手段とを有することを特徴とする通路開閉用昇降シャッター。
【請求項６】
直線姿勢への復元弾性を備えた可撓性部材を引上ガイド部材間に差し渡すよう当該部材間の金網に配設して遮蔽部材部分に展開性を与えたことを特徴とする請求項１又は請求項２に記載の通路開閉用昇降シャッター。
【請求項７】
直線姿勢への復元弾性を備えた可撓性部材としてコイルスプリングを引上ガイド部材間に差し渡すよう金網に配設して遮蔽部材部分に展開性を付与したことを特徴とする請求項１又は請求項２に記載の通路開閉用昇降シャッター。
【請求項８】
直線姿勢への復元弾性を備えた可撓性部材を引上ガイド部材間に差し渡すよう当該部材間の金網に配設して遮蔽部材部分に展開性を与えると共に、更に、当該可撓性部材と引上ガイド部材との間に、遮蔽部材部分の折り成し方向を決定させる付勢部材を介在させたことを特徴とする請求項１又は請求項２に記載の通路開閉用昇降シャッター。
【請求項９】
直線姿勢への復元弾性を備えた可撓性部材としてのコイルバネを引上ガイド部材間に差し渡すよう当該部材間の金網に配設して遮蔽蔀材部分に展開性を与えると共に、更に、当該コイルバネと引上ガイド部材との間に、遮蔽部材部分の折り成し方向を決定させる付勢部材としての鋏型バネの一端をコイルバネの端口に差し込み他端を引上ガイド部材に係止させたことを特徴とする請求項１又は請求項２に記載の通路開閉用昇降シャッター。
【発明の詳細な説明】
【０００１】
【産業上の利用分野】
本発明は、工場や倉庫や工事現場等の通路口、特に、高層建築現場での工事用エレベータと各階の足場への通路口（出入口）を開閉する通路開閉用昇降シャッターに関する。
【０００２】
【従来技術とその問題点】
従来、工場や倉庫や工事現場等の通路口には、当該通路の遮蔽部材として樹脂製の幕状シートを垂らし、幕状シートの巻き上げによって通路を開ける方式のいわゆるシートシャッターが用いられている。
しかし、この種の幕状のシートでは、空気の流通を遮って遮蔽するには適当であっても、部外者の侵入を防ぐ防犯性や、人や物が衝突した際の堅牢性や安全性に於いて十分ではなかった。
特に、高層建築現場などでの足場への通路口でこれを用いると、強い風圧を受けるため、シートが捲れたり、破損したり、或いは、シートを支える通路口の枠組自体が倒壊する虞れもあった。
【０００３】
これに関して、防犯性、堅牢性、安全性に富み、風圧に対しては通風性をもって解消する通路の遮蔽部材として、グリルシャッターといわれるものがある。これは、水平方向に平行に幾段にも並べたパイプと、平行に並ぶ上下のパイプ間に掛け渡され、上下のパイプ軸に当該軸を中心に回動自在に軸着された連結部材とから成り、通路開閉の際には上方に位置する巻取軸に格子構造にパイプで編まれた遮蔽部材自体が巻き取られる構成のもので、主として、防犯目的に使用されるものである。
しかし、このようなグリルシャッターでは、水平パイプと連結部材とで形成される格子枠を小さくすることができないため、小さな工具や器材が通過しやすく、これらが抜け落ちての落下事故など安全性に不安が残る。
【０００４】
又、このシャッターでは回動自在な軸着方式で遮蔽部材の柔軟性を得ているため、柔軟性を高めようとするほど、軸着部が多数となり、水平パイプ間の間隔も狭めることになるため、遮蔽部材の重量が極度に増大してしまう。
勿論、水平パイプと連結部材とで形成される枠を小さくしようとする場合も同様に重量の増大が避けられない。
このような重量の増大は取扱いや運搬に不便であるばかりでなく、高層建築現場への設置では致命的な欠点となるため、より軽量であることが望まれる。
【０００５】
本発明は、防犯性、堅牢性、安全性に富み、軽量で、高層建築現場でも十分に使用できる通路開閉用昇降シャッターの提供を目的とする。
この目的達成の手段として、研究の結果、遮蔽部材として金網の採用に思い至った。しかし、在来技術の巻上方式によっての金網の垂れ降ろしや巻上げでは、負荷が高くなり、巻取時の径が大きく、垂れ降ろしや巻き取りの円滑性に欠け、開閉速度が遅くなる等、解決すべき種々の問題がある。本発明は、これらの間題の解決を目的とするものである。
【０００６】
【問題解決の手段】
請求項１の発明は、遮蔽部材を昇降させて通路口を開閉する通路開閉用昇降シャッターに於いて、遮蔽部材は少なくとも折り成しに柔軟な可撓性を持つ編みとした金網を用い、当該遮蔽部材には、水平方向に走る引上ガイド部材を遮蔽部材の最下端から上端側へかけて間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させた際、引上ガイド部材間でＵ字状に折り成される各々の遮蔽部材部分のＵ字部がほぼ水平に並んだ状態で通路口が開かれるよう、上記引上ガイド部材間の各遮蔽部材部分の幅を下から上に行くに従って次第に広がるよう形成したことを特徴とする。
【０００７】
請求項２の発明は、遮蔽部材を昇降させて通路口を開閉する通路開閉用昇降シャッターに於いて、遮蔽部材は少なくとも折り成しに柔軟な可撓性を持つ編みとした金網を用い、当該遮蔽部材には、水平方向に走る引上ガイド部材を遮蔽部材の最下端から上端側へかけて間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させた際、引上ガイド部材間でＵ宇状に折り成される各遮蔽部材部分の互いに隣り合うＵ宇部が上下方向に位置ずれした状態で通路口が開かれるよう、上記引上ガイド部材間の各遮蔽部材部分の幅を下から上に行くに従って幅が交互に大小となるよう形成したことを特徴とする。
【０００８】
請求項３の発明は、遮蔽部材を昇降させて通路口を開閉する通路開閉用昇降シャッターであって、当該遮蔽部材は少なくとも折り成しに柔軟な可撓性を持つ編みとした金網を用い、当該遮蔽部材には、水平方向に走る引上ガイド部材を遮蔽部材の最下端から上端側へかけて適当間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させ、引上ガイド部材間の遮蔽部材部分をそれぞれＵ字状に折り成して、遮蔽部材全体を上昇させて通路口を開く通路開閉用昇降シャッターに於いて、上記通路口の左右には上記引上ガイド部材の端部が上下動自在に収まるガイド溝を配設し、最下段の引上ガイド部材の両端部にはガイド溝に案内されるガイドローラを設けたことを特徴とする。
【０００９】
請求項４の発明は、遮蔽部材を昇降させて通路口を開閉する通路開閉用昇降シャッターであって、当該遮蔽部材は少なくとも折り成しに柔軟な可撓性を持つ編みとした金網を用い、当該遮蔽部材には、水平方向に走る引上ガイド部材を遮蔽部材の最下端から上端側へかけて適当間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させ、引上ガイド部材間の遮蔽部材部分をそれぞれＵ字状に折り成して、遮蔽部材全体を上昇させて通路口を開く通路開閉用昇降シャッターに於いて、上記通路口の左右には上記引上ガイド部材の端部が上下動自在に収まるガイド溝を配設し、当該ガイド溝の下部には、最下段の引上ガイド部材が降下した際に落ち込む陥凹部と、陥落した引上ガイド部材の当該陥凹部からの離脱を阻止する阻止部材とから成るロック機構を設けたことを特徴とする。
【００１０】
請求項５の発明は、遮蔽部材を昇降させて通路口を開閉する通路開閉用昇降シャッターあって、当該遮蔽部材は少なくとも折り成しに柔軟な可撓性を持つ編みとした金網を用い、当該遮蔽部材には、水平方向に走る引上ガイド部材を遮蔽部材の最下端から上端側へかけて適当間隔を空けて適当数平行に設け、最上段から途中の引上ガイド部材を融通自在に通り、最下段の引上ガイド部材に固定された牽引索条を設け、当該牽引索条の引上によって、下段から上段側の引上ガイド部材を順次上昇させ、引上ガイド部材間の遮蔽部材部分をそれぞれＵ字状に折り成して、遮蔽部材全体を上昇させて通路口を開く通路開閉用昇降シャッターに於いて、上記通路口の左右には上記引上ガイド部材の端部が上下動自在に収まるガイド溝を配設し、当該ガイド溝の下部には、最下段の引上ガイド部材が降下した際に落ち込む陥凹部と、陥落した引上ガイド部材の当該陥凹部からの離脱を阻止する阻止部材とから成るロック機構を設け、当該ロック機構は、陥凹部に最下段の引上ガイド部材が陥落したことを検知する遮蔽完了センサからの遮蔽信号により阻止部材でロックさせる自動施錠手段と、通路口を開くための開動作信号により阻止部材のロックを解除する白動解錠手段とを有することを特徴とする。
【００１１】
請求項６の発明は、請求項１又は請求項２の各発明に、それぞれ、直線姿勢への復元弾性を備えた可擁性部材を引上ガイド部材間に差し渡すよう当該部材間の金網に配設して遮蔽部材に展開性を与えたことを特徴とする。
【００１２】
請求項７の発明は、請求項１又は請求項２の各発明に、それぞれ、直線姿勢への復元弾性を備えた可撓性部材としてコイルスプリングを引上ガイド部材問に差し渡すよう金網に配設して遮蔽部材に伸展性を付与したことを特徴とする。
【００１３】
請求項８の発明は、請求項１又は請求項２各発明に、それぞれ、直線姿勢への復元弾性を備えた可撓性部材を引上ガイド部材間に差し渡すよう当該部材間の金網に配設して遮蔽部材に展開性を与えると共に、更に、当該可撓性部材と引上ガイド部材との間に、遮蔽部材の展開性を助長させる付勢部材を介在させたことを特徴とする。
【００１４】
請求項９の発明は、請求項１又は請求項２の各発明に、それぞれ、直線姿勢への復元弾性を備えた可撓性部材としてのコイルバネを引上ガイド部材間に差し渡すよう当該部材間の金網に配設して遮蔽部材に展開性を与えると共に、更に、当該コイルバネと引上ガイド部材との間に、遮蔽部材の展開性を助長させる付勢部材としての鋏型バネの一端をコイルバネの端口に差し込み他端を引上ガイド部材に係止させたことを特徴とする。
【００１５】
【発明の作用】
請求項１の発明では、下段から上段側の引上ガイド部材を、順次、引き上げて、上昇させた際、引上ガイド部材間でＵ字状に折り成される各々の遮蔽部材部分のＵ字部がほぼ水平に並んだ状態で通路口が開かれ、遮蔽部材全体の長さや引上ガイド部材の本数や引上ガイド部材間隔等、与えられた条件下で、通路口の高さが最大になる。
【００１６】
請求項２の発明では、下段から上段側の引上ガイド部材を、順次、引き上げて、上昇させた際、Ｕ字状に折り成される各遮蔽部材部分の互いに隣り合うＵ字部が上下方向に位置ずれするので、Ｕ宇部の最大膨らみ部分が水平に横並びさせた状態に比べ、Ｕ字部の重なり幅、即ち、遮蔽部材部分を上方に引上げた際の収納幅が小さくなる。
【００１７】
請求項３の発明では、最下段の引上ガイド部材の両端部にガイド溝に案内されるガイドローラを設けているので、遮蔽部材の昇降に際して無用の揺れが抑制され、昇降時の騒音を小さく、そして、円滑且つ速やかに昇降させる。
【００１８】
請求項４の発明では、ロック機構の陥凹部によって、最下段の引上ガイド部材が降下した際の、即ち、通路口が閉鎖された際の、最下段の引上ガイド部材の落ち着き位置が一義的に定められる。
又、ロック機構の阻止部材によって当該ガイド部材が固定され、遮蔽部材が通路口を確実に閉鎖する。
【００１９】
請求項５の発明では、遮蔽部材が降下して通路口が閉鎖されると、その最下段の引上ガイド部材がロックされ、通路開口に当たって、例えば、開口ボタンを押すと、その開動作信号によりロックが自動的に解除される。
【００２０】
請求項６に記載の請求項１又は請求項２の各発明では、それぞれ、引上ガイド部材間に差し渡された可撓性部材によって遮蔽部材としての金網に、常に面的に拡開しようとする展開性が付与される。
【００２１】
請求項７に記載の請求項１又は請求項２の各発明では、それぞれ、可撓性部材としてコイルスプリングを用いているので、繰り返しての折り成しに対する金網の耐久性が高められる。
又、十二分な可撓性とコイルの軸方向へ復元弾性が得られるため、遮蔽部材部分のＵ字状態と平面への展開との繰り返しての屈曲に当たって、その屈曲と展開運動が無理なく極めて迅速且つ円滑に行われる。
【００２２】
請求項８記載の請求項１又は請求項２の各発明では、可撓性部材と引上ガイド部材との間に、遮蔽部材部分をＵ字状に折り成す方向に作用する付勢部材を介在させているので、引上ガイド部材の引き上げに応じて、遮蔽部材部分が平面的展開状態からＵ字状への折り成しが瞬時に行われ、遮蔽部材の上昇を速やかに行うことができ、通路の開口が迅速となる。
【００２３】
請求項９に記載の請求項１又は請求項２の各発明では、可撓性部材としてのコイルバネと引上ガイド部材との間に、遮蔽部材部分をＵ字状に折り成す方向に作用する付勢部材として鋏型バネを用い、その一端をコイルバネの端口に差し込み他端を引上ガイド部材に係止させているので、構造が簡素で、製造組み立てが容易となる。
【００２４】
【実施例】
以下、本発明を実施の一例を示す図面に基づいて説明する。
図１乃至図３に於いて、図は遮蔽部材１を昇降させて通路口を開閉する通路開閉用昇降シャッターを示すもので、図１はその正面図、図２はその縦断面図、図３はその横断面図である。
遮蔽部材１は、通路の開口を塞ぐように垂れ下がる部材であって、この実施例では、当該部材の最下端から上端側にかけて適当間隔を空けて水平方向に走るよう適当数設けられた骨材としての引上ガイド部材２と、引上ガイド部材２の間を塞ぐ遮蔽部材部分４とで構成してある。
上記の引上ガイド部材２には、最上段から途中の引上ガイド部材２を融通自在に通って、最下段の引上ガイド部材２にその先端が固定された牽引索条３が縦方向にバランス良く適当数配設してある。
遮蔽部材１は、この牽引索条３の引上により、下段から上段側の引上ガイド部材２が順次上昇して行くに従って、各引上ガイド部材２間の遮蔽部材部分４が順に、それぞれＵ字状に折り成されながら引き上げられて行き、遂には、図４の拡大縦断面図に示されるように、遮蔽部材１全体が上昇して通路口が開かれる。
【００２５】
図４に於いて、牽引索条３は実施例ではワイヤを用いているが、チェーンやロープ、或いはベルト等であっても良い。
この牽引索条３は通路口を構成する上縁側の梁枠２０に配置された巻取ドラム５に後端が固定され、その先端側は、最上段の引上ガイド部材２から順次下の引上ガイド部材２を融通自在に通って、最下段の引上ガイド部材２にその先端が固定されている。
従って、牽引索条３が巻取ドラム５に巻き取られるにしたがって、最下段の引上ガイド部材２が上昇し、最下段の引上ガイド部材２が、順次、上方の引上ガイド部材２を下から持ち上げて行くことになる。
図４は、この持ち上げが終了した状態、即ち、遮蔽部材１を上昇させて通路口を開口した時の上部の断面図である。
【００２６】
図５に於いて、図は、最下段を除く、他の引上ガイド部材２の部分拡大図である。実施例のこの引上ガイド部材２は、牽引索条３を融通自在に通すための貫通部６を備え、この貫通部６には、図示の通り、引上ガイド部材２の本体を成すパイプ７の側面に設けられている。
貫通部６は、垂直方向に抜ける貫通穴８と貫通穴８の円を割るようにして側面から穴８の軸方向に臨むローラ９から成っており、この貫通穴８に牽引索条３が融通自在に走るように挿通されている。
このローラ９の設定位置は、引上ガイド部材２の昇降の際に、持ち上げ或いは持ち下げられる引上ガイド部材２と引上ガイド部材２間の遮蔽部材部分４との荷重によるモーメントが掛かる側の貫通穴８の部分に設けてある。
これによって、遮蔽部材１を昇降させる際の牽引索条３と貫通部６との摩擦が軽減され、昇降運動が円滑かつ速やかに行われる。又、昇降時の騒音も軽減される。
【００２７】
尚、実施例では貫通部６を上記のように構成しているが、牽引索条３を融通自在に通すに足る単なる貫通孔であってよく、又、単なる貫通穴をパイプ７に穿っても良い。
又、引上ガイド部材２の本体も必ずしもパイプである必要はなく、棒材や角材等遮蔽部材３の骨材として機能し、遮蔽部材３の引上強度を満たす材料のものであれば良い。
【００２８】
図１、図６に於いて、本発明の特徴は、遮蔽部材１として、巻取や折り成しに柔軟な可撓性を持つ編みとした金網を用いた点にある。金網は、幕状シャッターと違い、視界が遮断されず、幕の向う側まで見通せる利点がある。又、風に対しては通気性があるため風圧が避けられる。
又、網目をある程度細かくすることによって、網目からの工具や器材の抜け落ちを防ぐことができ、なによりも、幕状シャッターに比べて強靱であり堅牢であり、防犯性にも優れている。
【００２９】
本発明で採用する金網は、通路口を開閉するシャッターの遮蔽部材として用いるものであるため、通路口を開口するに当たって、遮蔽部材１を収納しなければならない。この収納方法には、種々在るが、巻き取ったり折り成したりしての収容が一般的である。
尚、本明細書でいう「折り成し」とは、折り目が直線的に着くような角度の折り曲げだけでなく、折り目が着かない曲げを含む意味で用いる。
上記のような収納方法に適するには、金網は、少なくとも、巻き取り方向や折り成し方向に曲がり易い柔軟性があることが必要である。
図６は、この様に柔軟な可擦性を持つ金網の編みの一例を示す。勿論、本発明での金網は図示のものに限定されず、巻き取り或いは折り成しに適した柔軟性のある既存の金網は全て用いることができる。
【００３０】
再び、図４に於いて、図示の遮蔽部材１は、下段から上段側の引上ガイド部材２を順次上昇させ、引上ガイド部材２間の遮蔽部材部分４を、当該遮蔽部材部分４の上下端側の引上ガイド部材２で吊して、遮蔽部材部分４のほぼ中央が当該部分の自重で谷となるよう、Ｕ字状に折り成して通路口の上方側に収納された状態を示す。
同図示の遮蔽部材１は、図１に示すように、引上ガイド部材２間の間隔を下から上に行くに従って次第に遮蔽部材部分４の幅、即ち、引上ガイド部材２間の間隔幅が広がるよう形成し、収納された状態では、各々の遮蔽部材部材４のＵ字部がほぼ水平に並んだ状態となるように、その間隔幅を設定している。
このように、収納された遮蔽部材部材４のＵ字部がほぼ水平に並ぶ状態にすると、通路口の開口高さは、他の収納方法に比べて、より高くなる。従って、この収納方法は、通路口の高さを十分に高くしたい場合に最適である。
【００３１】
図４に示す収納方法では、Ｕ字部が同一水平高さに並んで横並びとなるため、収納のした際の遮蔽部材１の重なり幅が大きくなる
この重なり幅を小さくするためには、引上ガイド部材２間でＵ字状に折り成される各遮蔽部材部分４の互いに隣り合うＵ字部が上下方向に位置ずれした状態となるよう、引上ガイド部材２間の間隔、即ち、遮蔽部材部分４の幅を下から上に行く方向で、順に、幅が交互に大小となるよう形成するとよい。
このようにすると、通路口の高さは若干低くなるが、遮蔽部材１の収納時の重なり幅を大幅に縮小することができる。
【００３２】
又、本発明では、遮蔽部材１の収納時の重なりと昇降時の振れ防止とを規制するために、通路口の左右には引上ガイド部材２の端部が上下動自在に収まるガイド溝２１を設けている。
実施例では・断面コ字型の鋼材を通路口の左右に位置して梁枠２０を支える支柱枠として用い、そのコ字型凹部をガイド溝としている。このガイド溝２１に、遮蔽部材１の両端側を挿入するように構成しておくと、遮蔽部材１の収納時の重なり幅をも規制することができる。
収納時の遮蔽部材１の重なり幅は、より小さい方が理想であるが、遮蔽部材１の材質が金属製の金網であるので、重なり幅を小さくし過ぎると、無理が生じて、Ｕ字部が振れたり、ほつれたりして変形してしまう虞れがある。
この様な、予期しない変形が一旦生じてしまうと、遮蔽部材１の展開が不十分となるだけでなく、昇降を繰り返すほどに、展開と折り成しとによる疲労破壊を起こしてしまう。
【００３３】
図７に示すように、本発明では、遮蔽部材１の収納に当たって、その遮蔽部材部分４の面に上記のような変形を与えないようにするため、引上ガイド部材２間には、上下の引上ガイド部材２間に差し渡すように、直線姿勢への復元弾性を備えた可撓性部材１０を適当間隔に配設して、遮蔽部材部分２に平面的に展開しようとする展開性を付与してある。
このような可擁性部材１０としては、直線姿勢への復元弾性を備えた部材であればピアノ線やワイヤ等でもよいが、実施例では、図６に示す通り、コイルスプリング１０を可撓性部材として引上ガイド部材２問に差し渡すよう金網の厚さ内に編み込むようにして配設してある。
このように、金網の厚さ内に編み込むことにより、当該コイルスプリング１０が余の部材等と無用な引っ掛かりを生ずることが避けられる。
又、Ｕ字状に折り成される際には、コイルの軸方向への伸もあるので、他の部材に比べて最適のようである。
【００３４】
さて、図６及び図８に示すように、実施例の引上ガイド部材２と遮蔽部材部分４との接続は連繋軸１１を介し、当該連繋軸１１を中心として両部材（２と４）が回動白在に連繋されている。
即ち、引上ガイド部材２の上下位置には、連繋軸１１が引上ガイド部材２と近接して平行に走り、この連繋軸１１に対して引上ガイド部材２側から抱え込む腕１２が設けられ、連繋軸１１自体は金網の縁部を貫通するように走っている。
そして、この引上ガイド部材２の上の位置にある連繋軸１１には、図で分かるように、開く方向に弾発力を有する付勢部材としての鋏型バネ１３が当該連繋軸１１を軸とするように巻装してある。
即ち、実施例の鋏型ばね１３は、その下端側が引上ガイド部材２の側面に当てられ、上端側がコイルスプリング１０の端口に挿入され、連繋軸１１を中心にしてその上端側が図上で時計回り方向に弾発力が作用するように介装されているのである。
【００３５】
図９に於いて、この鋏型ばね１３の作用を説明する。
この図では表されていないが、上述のように、鋏型ばね１３は各引上ガイド部材２の上の位置側にあって、コイルスプリング１０にその上端が嵌合して係合するように配設されている。
今、図は、最下段の引上ガイド部材２が引き上げられ、最下段の次の第２番目の引上ガイド部材２が第３番目の引上ガイド部材２に当たり、この第３番目が持ち上げられようとする直前状態にある。
第３番目の引上ガイド部材２は、下からの持ち上げ作用が加わらない段階では、自重と第２番目以下の引上ガイド部材２及び遮蔽部材部分４等の荷重で、直上の遮蔽部材部分４を垂直状態に引下げて展開させている。
【００３６】
この第３番目の引上ガイド部材２が最下段の引上ガイド部材２の上昇によって、第２番目以下の引上ガイド部材２で押し上げられると、白重と直上の遮蔽部材部分４を垂直状態に引下げていた上記荷重が消え、その瞬間、鋏型ばね１３の弾発力が勝ってコイルスプリング１０を、したがって、遮蔽部材部分４を引上ガイド部材２（具体的にはその連繋軸１１）を中心にして時計回り方向へと押し、遮蔽部材部分４の折り成し方向が決定される。
こうして、各遮蔽部材部分４は、その下縁側に位置する引上ガイド部材２が持ち上げられる度に、鋏型ばね１３の作用によって折り成し方向が瞬時に決定されて行き、迅速な折り成し、引いては、遮蔽部材１が迅速に上昇され、速やかに通路口が開口される。
【００３７】
他方、遮蔽部材１を降下させて通路を塞ぐ際には、巻取ドラム５を逆回転させて牽引索条３を巻き解くと、複数の引上ガイド部材２及び遮蔽部材１等の自重によって、各遮蔽部材部分４は、順次、垂直状態に展開されて行く。
この時、各遮蔽部材部分４に設けられている可撓性部材としてのコイルスプリング１０の復元弾性によって、遮蔽部材部分４の展開性が助成され、速やかに遮蔽部材１が垂直状態に展開される。尚、この可擁性部材１０は金網のほつれを阻止する機能も果たしている。
【００３８】
図４及び図９に於いて、牽引索条３の引上によって相接することとなる各引上ガイド部材２間には、両者の間に、適当間隔を空けるためのスペーサ１４が設けられている。実施例では、牽引索条３に短筒状のカラーを挿通して、引上ガイド部材２を構成する貫通部６間に介在させている。
このスペーサ１４は、遮蔽部材１を引上げて折り成す際、遮蔽部材１としての金網の柔軟度に応じて、各遮蔽部材部分４が無理な折り成しとならないよう、調整するためのものである。
このスペーサ１４の介在によって、遮蔽部材１としての金網の折り成しと展開の繰り返しによる疲労を軽減でき、遮蔽部材１の耐久性を高めている。
【００３９】
図４、図９、及び図１０に於いて、最下段の引上ガイド部材２の両端部には支柱枠のガイド溝２１の内壁に沿って滑空するガイドローラ１５を設けている。
このガイドローラ１５は、遮蔽部材１の昇降に際して、その無用の揺れが抑制されるだけでなく、昇降時に生ずる擦過音等の騒音を減少させ、円滑且つ速やかな昇降動作が得られる。
【００４０】
図１０に於いて、ガイド溝２１の下部には、最下段の引上ガイド部材２が降下した際に落ち込むように設けられた陥凹部１６と、この陥凹部１６の開口側に、陥落した引上ガイド部材２が陥凹部１６から離脱しないように設けられた阻止部材１７とからなるロック機構を設けてある。
実施例の阻止部材１７は、陥凹部１６の口を開閉するよう口に対して出没自在に摺動するよう構成されている。尚、図中の符号１８は阻止部材１７の駆動原としての電磁ソレノイドである。
又、符号９は降下してくるガイドローラ１５を陥凹部１６の口に誘導するため、ガイド溝２１を斜めに横切るように傾斜せしめて形成した引込誘導部である。この引込誘導部９によってガイドローラ１５は迷わず速やかに陥凹部１６へと最下段の引上ガイド部材２を誘導して落とし込ませ、遮蔽部材１の降下、即ち、通路口の閉鎖が速やか且つ確実に行われる。
このロック機構は、陥凹部１６に最下段の引上ガイド部材２が陥落したことを検知する遮蔽完了センサ（図示せず）からの遮蔽信号により阻止部材１７を摺動させてロックさせる自動施錠手段と、通路口を開くための開動作信号により阻止部材１７のロックを解除する自動解錠手段とを有する自動制御手段（図示せず）を備えている。
【００４１】
尚、上記実施例では、遮蔽部材１を構成する金網は引上ガイド部材２よって各遮蔽部材部分４に分割された例で説明したが、本発明は、必ずしもこれに限らず、通路口を覆い尽くす面の金網に引上ガイド部材を適当に配設した遮蔽部材であっても良い。
又、上記実施例では、金網は金属性としたが、本発明は、従来の金網に性質を似せた樹脂性のものにも適用できる。
【００４２】
【発明の効果】
請求項１の発明によれば、遮蔽部材全体の長さや引上ガイド部材の本数や引上ガイド部材間隔等の与えられた条件下で、通路口の高さを最大にとることができる。
【００４３】
請求項２の発明によれば、遮蔽部材部分を上方に引上げた際に折り成される幅が小さくでき、収納幅を小さく設定できる。
【００４４】
請求項３の発明によれば、ガイドローラにより、遮蔽部材の昇降に際して無用の揺れが抑制され、昇降時の騒音を小さく、そして、円滑持つ編速やかに昇降させることができる。
【００４５】
請求項４の発明によれば、ロック機構の陥凹部によって、最下段の引上ガイド部材が降下した際の落ち着き位置が一義的に定まるので、遮蔽部材の閉鎖時の静止位置を速やかに定めることができる。又、ロック機構の阻止部材によって当該ガイド部材が固定されるので、遮蔽部材の通路口の閉鎖が確実となる。
【００４６】
請求項５の発明によれば、遮蔽部材が降下して通路口が閉鎖されると、その最下段の引上ガイド部材が自動的にロックされ、通路開口に当たって、例えば、開口ボタンを押すと、その開動作信号によりロックが自動的に解除される。
【００４７】
請求項６に記載の請求項１又は請求項２の各発明によれば、それぞれ、引上ガイド部材間に差し渡された可撓性部材によって遮蔽部材としての金網に、常に面的に拡開しようとする展開性が付与されるので、折り成し状態でのＵ字状態を維持することができると共に、通路口を閉鎖する際には遮蔽部材が円滑且つ迅速に展開される。
【００４８】
請求項７に記載の請求項１又は請求項２の各発明によれば、それぞれ、可撓性部材としてコイルスプリングを用いているので、Ｕ時状態の折り成しの際やそれが展開する際に、コイルの軸方向に伸長したり伸長状態が復元したりするので、折り成しやその展開が円滑に行われるだけでなく、繰り返しての折り成しや展開に対する耐久性が高められる。
【００４９】
請求項８に記載の請求項１又は請求項２の各発明によれば、遮蔽部材部分をＵ字状に折り成す方向に作用する付勢部材を介在させているので、引上ガイド部材の引き上げに応じて、遮蔽部材部分が平面的展開状態からＵ字状への折り成しを瞬時に行わせることができ、それだけ、遮蔽部材の上昇速度を早めることができ、通路の開口を迅速に行える。
【００５０】
請求項９に記載の請求項１、請求項２の各発明によれば、付勢部材としての鋏型バネの一端をコイルバネの端口に差し込み、他端を引上ガイド部材に係止させるだけで付勢部材の設定が済むので、構造が簡素となり、製造組み立てが容易となる。
【図面の簡単な説明】
【図１】通路開閉用昇降シャッターの正面図である。
【図２】通路開閉用昇降シャッターの縦断面図である。
【図３】通路開閉用昇降シャッターの横断面図である。
【図４】遮蔽部材の収納状態を示す側面図である。
【図５】引上ガイド部材の部分拡大平面図である。
【図６】可撹性部材と付勢部材と引上ガイド部材との関係を示す正面拡大図である。
【図７】可撹性部材の配設の一例を示した図である。
【図８】可撓性部材と付勢部材と引上ガイド部材との関係を示す側面拡大図である。
【図９】昇降途中の状態を示す図である。
【図１０】ロック機構の拡大側面図である。
【符号の説明】
１　遮蔽部材（金網）、２　引上ガイド部材、３　牽引索条、４　遮蔽部材部分５巻取ドラム、１０　可撹性部材（コイルスプリング）、１１　連携軸、１６　陥凹部、１７　阻止部材、２０　梁枠、２１　ガイド溝。
【図１】
2004076569.tif 000003
【図２】
2004076569.tif 000004
【図３】
2004076569.tif 000005
【図４】
2004076569.tif 000006
【図５】
2004076569.tif 000007
【図６】
2004076569.tif 000008
【図７】
2004076569.tif 000009
【図８】
2004076569.tif 000010
【図９】
2004076569.tif 000011
【図１０】
2004076569.tif 000012